【手続補正書】
【提出日】平成25年1月28日(2013.1.28)
【手続補正１】
【補正対象書類名】特許請求の範囲
【補正対象項目名】全文
【補正方法】変更
【補正の内容】
【特許請求の範囲】
【請求項１】
複数のピンを有するコネクタ部を備え、
第１のデジタルインタフェースで動作する外部機器が上記コネクタ部に接続されるときには上記複数のピンのうち第１の数のピンが使用され、第２のデジタルインタフェースで動作する外部機器が接続されるときには上記複数のピンのうち上記第１の数より少ない第２の数のピンが使用され、
上記複数のピンのうち、上記第２のデジタルインタフェースで動作する外部機器が上記コネクタ部に接続されるときには使用されない所定のピンの電圧または電流の状態に基づいて、上記コネクタ部に接続されている外部機器のデジタルインタフェースが上記第１のデジタルインタフェースであるか上記第２のデジタルインタフェースであるかを判別するデジタルインタフェース判別部と、
上記コネクタ部に接続されるデータ伝送部が、上記デジタルインタフェース判別部で判別されたデジタルインタフェースで動作するように切換制御する制御部とをさらに備える
電子機器。
【請求項２】
上記デジタルインタフェース判別部は、
上記第１のデジタルインタフェースで動作する外部機器が接続される場合に差動信号が入力され、上記第２のデジタルインタフェースで動作する外部機器が接続される場合に差動信号が入力されない一対のピンの電圧状態に基づいて、上記コネクタ部に接続されている外部機器のデジタルインタフェースが上記第１のデジタルインタフェースであるか上記第２のデジタルインタフェースであるかを判別する
請求項１に記載の電子機器。
【請求項３】
上記第１のデジタルインタフェースで動作する外部機器が接続される場合および上記第２のデジタルインタフェースで動作する外部機器が接続される場合のいずれの場合にも差動信号が入力される一対のピンの電圧状態に基づいて、上記コネクタ部にケーブルを介して外部機器が接続されているか否かを判別する接続判別部をさらに備える
請求項２に記載の電子機器。
【請求項４】
上記デジタルインタフェース判別部は、
上記第１のデジタルインタフェースで動作する外部機器が接続される場合に差動信号を出力し、上記第２のデジタルインタフェースで動作する外部機器が接続される場合に差動信号を出力しない一対のピンの電圧状態に基づいて、上記コネクタ部に接続されている外部機器のデジタルインタフェースが上記第１のデジタルインタフェースであるか上記第２のデジタルインタフェースであるかを判別する
請求項１に記載の電子機器。
【請求項５】
上記第１のデジタルインタフェースで動作する外部機器が接続される場合および上記第２のデジタルインタフェースで動作する外部機器が接続される場合のいずれの場合にも差動信号を出力する一対のピンの電圧状態に基づいて、上記コネクタ部にケーブルを介して外部機器が接続されているか否かを判別する接続判別部をさらに備える
請求項４に記載の電子機器。
【請求項６】
上記デジタルインタフェース判別部は、
上記第１のデジタルインタフェースで動作する外部機器が接続される場合に、該外部機器から電源が供給されるピンと該ピンにダイオードおよび抵抗を介して接続されているピンの電圧状態に基づいて、上記コネクタ部に接続されている外部機器のデジタルインタフェースが上記第１のデジタルインタフェースであるか上記第２のデジタルインタフェースであるかを判別する
請求項１に記載の電子機器。
【請求項７】
上記デジタルインタフェース判別部は、
上記第１のデジタルインタフェースで動作する外部機器が接続される場合に接地され、上記第２のデジタルインタフェースで動作する外部機器が接続される場合に接地電圧より高い電圧が印加されるか電気的に浮いた状態とされ、かつ抵抗を介して接地電圧より高い電圧にプルアップされたピンの電圧状態に基づいて、上記コネクタ部に接続されている外部機器のデジタルインタフェースが上記第１のデジタルインタフェースであるか上記第２のデジタルインタフェースであるかを判別する
請求項１に記載の電子機器。
【請求項８】
上記デジタルインタフェース判別部は、
上記第１のデジタルインタフェースで動作する外部機器が接続される場合に接地され、上記第２のデジタルインタフェースで動作する外部機器が接続される場合に第１の抵抗を介して接地され、かつ第２の抵抗を介して接地電圧より高い所定電圧にプルアップされたピンの電圧を、上記所定電圧を上記第１の抵抗および上記第２の抵抗で分圧して得られる電圧の上側および下側の電圧と比較した結果に基づいて、上記コネクタ部に接続されている外部機器のデジタルインタフェースが上記第１のデジタルインタフェースであるか上記第２のデジタルインタフェースであるかを判別する
請求項１に記載の電子機器。
【請求項９】
上記デジタルインタフェース判別部は、
上記第１のデジタルインタフェースで動作する外部機器が接続される場合に接地され、上記第２のデジタルインタフェースで動作する外部機器が接続される場合に所定電圧が第１の抵抗および第２の抵抗で分圧されて得られた電圧が印加され、かつ第３の抵抗を介して上記所定電圧にプルアップされたピンの電圧を、上記所定電圧を上記第１の抵抗および上記第３の抵抗の並列抵抗と上記第２の抵抗とで分圧して得られる電圧の上側および下側の電圧と比較した結果に基づいて、上記コネクタ部に接続されている外部機器のデジタルインタフェースが上記第１のデジタルインタフェースであるか上記第２のデジタルインタフェースであるかを判別する
請求項１に記載の電子機器。
【請求項１０】
上記デジタルインタフェース判別部は、
上記第１のデジタルインタフェースで動作する外部機器が接続される場合に差動信号が入力され、上記第２のデジタルインタフェースで動作する外部機器が接続される場合に差動信号が入力されない一対のピンに着目し、
上記第２のデジタルインタフェースで動作する外部機器が接続される場合に上記一対のピンが短絡または第１の抵抗を介して接続され、上記一対のピンの一方のピンは第２の抵抗を介して所定電圧にプルアップされ、上記一対のピンの他方のピンは接地された状態で、上記一方のピンの電圧を、上記所定電圧を上記第１の抵抗および上記第２の抵抗で分圧して得られる電圧よりも高い電圧と比較した結果に基づいて、上記コネクタ部に接続されている外部機器のデジタルインタフェースが上記第１のデジタルインタフェースであるか上記第２のデジタルインタフェースであるかを判別する
請求項１に記載の電子機器。
【請求項１１】
上記第２のデジタルインタフェースで動作する外部機器が接続される場合に上記一対のピンが短絡または上記第１の抵抗を介して接続される状態は、上記外部機器を上記コネクタ部に接続するためのケーブルのプラグ内で行われる
請求項１０に記載の電子機器。
【請求項１２】
上記コネクタ部への上記ケーブルの接続を判別する接続判別部をさらに備え、
上記デジタルインタフェース判別部は、上記接続判別部で上記コネクタ部に上記ケーブルが接続されたことが判別された後に、上記コネクタ部に接続されている外部機器のデジタルインタフェースが上記第１のデジタルインタフェースであるか上記第２のデジタルインタフェースであるかを判別する
請求項１０に記載の電子機器。
【請求項１３】
上記デジタルインタフェース判別部は、
上記第１のデジタルインタフェースで動作する外部機器が接続される場合に使用され、上記第２のデジタルインタフェースで動作する外部機器が接続される場合に使用されない一対のピンに着目し、
上記第２のデジタルインタフェースで動作する外部機器が接続される場合に、上記一対のピンが短絡または抵抗を介して接続され、
上記一対のピンの一方のピンは抵抗を介して所定電圧にプルアップされ、
上記一対のピンの他方のピンの電流または電圧の状態を検出する第１の検出部を有し、
上記第１のデジタルインタフェースで動作する外部機器が接続される場合、該外部機器から電源が供給される電源ピンに着目し、
上記電源ピンの電圧状態を検出する第２の検出部をさらに有し、
上記第１の検出部および上記第２の検出部の検出結果に基づいて、上記コネクタ部に接続されている外部機器のデジタルインタフェースが上記第１のデジタルインタフェースであるか上記第２のデジタルインタフェースであるかを判別する
請求項１に記載の電子機器。
【請求項１４】
上記デジタルインタフェース判別部は、
上記第２の検出部で上記電源ピンの電圧状態が上記電源の電圧であることが検出されるとき、
上記コネクタ部に接続されている外部機器のデジタルインタフェースが上記第１のデジタルインタフェースであると判別する
請求項１３に記載の電子機器。
【請求項１５】
上記デジタルインタフェース判別部は、
上記第２の検出部で上記電源ピンの電圧状態が上記電源の電圧でないことが検出され、さらに、
上記第１の検出部で上記一対のピンの他方のピンを通して電流が流れていること、あるいは上記一対のピンの他方のピンの電圧が所定電圧にあることが検出されるとき、
上記コネクタ部に接続されている外部機器のデジタルインタフェースが上記第２のデジタルインタフェースであると判別する
請求項１３に記載の電子機器。
【請求項１６】
上記デジタルインタフェース判別部で上記コネクタ部に接続されている外部機器のデジタルインタフェースが上記第２のデジタルインタフェースであると判別されるとき、上記電源ピンを介して上記外部機器に電源を供給する電源供給部をさらに備える
請求項１３に記載の電子機器。
【請求項１７】
上記第２のデジタルインタフェースで動作する外部機器が接続される場合に上記一対のピンが短絡または抵抗を介して接続される状態は、上記外部機器を上記コネクタ部に接続するためのケーブルのプラグ内で行われる
請求項１３に記載の電子機器。
【請求項１８】
上記第１のデジタルインタフェースはＨＤＭＩであり、
上記一対のピンの一方のピンはＳＣＬ用のピンであり、上記一対のピンの他方のピンはＳＤＡ用のピンである
請求項１３に記載の電子機器。
【請求項１９】
上記デジタルインタフェース判別部は、
上記第１のデジタルインタフェースで動作する外部機器が接続される場合に使用され、上記第２のデジタルインタフェースで動作する外部機器が接続される場合に使用されない一対のピンに着目し、
上記第２のデジタルインタフェースで動作する外部機器が接続される場合に、上記一対のピンの一方のピンおよび他方のピンは、該一方のピンから該他方のピンに一方向に信号を流す電子素子を通じて接続され、
上記一対のピンの上記一方のピンに第１の信号を供給する第１の信号供給部と、
上記一対のピンの上記他方のピンに第２の信号を供給する第２の信号供給部と、
上記第１の信号供給部から上記一対のピンの上記一方のピンに上記第１の信号が供給される期間に、上記一対のピンの上記他方のピンから上記第１の信号を検出する第１の信号検出部と、
上記第２の信号供給部から上記一対のピンの上記他方のピンに上記第２の信号が供給される期間に、上記一対のピンの上記一方のピンから上記第２の信号を検出する第２の信号検出部とを有し、
上記第１の信号検出部および上記第２の信号検出部の検出結果に基づいて、上記コネクタ部に接続されている外部機器のデジタルインタフェースが上記第２のデジタルインタフェースであるか否かを判別する
請求項１に記載の電子機器。
【請求項２０】
上記デジタルインタフェース判別部は、
上記第１の信号検出部で上記第１の信号が検出され、上記第２の信号検出部で上記第２の信号が検出されないとき、上記コネクタ部に接続されている外部機器のデジタルインタフェースが上記第２のデジタルインタフェースであると判別する
請求項１９に記載の電子機器。
【請求項２１】
上記デジタルインタフェース判別部は、
上記第１のデジタルインタフェースで動作する外部機器が接続される場合、該外部機器から電源が供給される電源ピンに着目し、
上記電源ピンの電圧状態を検出する電圧検出部をさらに有し、
上記電圧検出部で上記電源ピンの電圧状態が上記電源の電圧であることが検出されるとき、
上記コネクタ部に接続されている外部機器のデジタルインタフェースが上記第１のデジタルインタフェースであると判別する
請求項２０に記載の電子機器。
【請求項２２】
上記第１の信号および上記第２の信号はパルス信号である
請求項１９に記載の電子機器。
【請求項２３】
上記第１の信号供給部は、
上記一対のピンの上記一方のピンを所定電圧が供給される端子に接続する第１の抵抗素子と、上記一方のピンを接地端子に接続する第１のスイッチング素子と、該第１のスイッチング素子を駆動するパルス信号を発生する第１のパルス発生器を有し、
上記第２の信号供給部は、
上記一対のピンの上記他方のピンを所定電圧が供給される端子に接続する第２の抵抗素子と、上記他方のピンを接地端子に接続する第２のスイッチング素子と、該第２のスイッチング素子を駆動するパルス信号を発生する第２のパルス発生器を有する
請求項２２に記載の電子機器。
【請求項２４】
上記第１のスイッチング素子および上記第２のスイッチング素子は、電界効果トランジスタである
請求項２３に記載の電子機器。
【請求項２５】
上記デジタルインタフェース判別部で上記コネクタ部に接続されている外部機器のデジタルインタフェースが上記第２のデジタルインタフェースであると判別されるとき、上記電源ピンを介して上記外部機器に電源を供給する電源供給部をさらに備える
請求項２１に記載の電子機器。
【請求項２６】
上記第２のデジタルインタフェースで動作する外部機器が接続される場合に上記一対のピンが上記電子素子を通じて接続される状態は、上記外部機器を上記コネクタ部に接続するためのケーブルのプラグ内で行われる
請求項１９に記載の電子機器。
【請求項２７】
上記第１のデジタルインタフェースはＨＤＭＩであり、
上記一対のピンの一方のピンはＳＣＬ用のピンであり、上記一対のピンの他方のピンはＳＤＡ用のピンである
請求項１９に記載の電子機器。
【請求項２８】
上記電子素子は、ダイオードである
請求項１９に記載の電子機器。
【請求項２９】
上記第１のデジタルインタフェースは、ＨＤＭＩである
請求項１に記載の電子機器。
【請求項３０】
複数のピンを有するコネクタ部を備え、
第１のデジタルインタフェースで動作する外部機器が上記コネクタ部に接続されるときには上記複数のピンのうち第１の数のピンが使用され、第２のデジタルインタフェースで動作する外部機器が接続されるときには上記複数のピンのうち上記第１の数より少ない第２の数のピンが使用される電子機器における接続外部機器の伝送モード判別方法であって、
上記複数のピンのうち、上記第２のデジタルインタフェースで動作する外部機器が上記コネクタ部に接続されるときには使用されない所定のピンの電圧状態または電流状態に基づいて、上記コネクタ部に接続されている外部機器のデジタルインタフェースが上記第１のデジタルインタフェースであるか上記第２のデジタルインタフェースであるかを判別する
接続外部機器のデジタルインタフェース判別方法。
【請求項３１】
上記デジタルインタフェース判別部は、
上記所定のピンのうち一対のピンに着目し、
上記第２のデジタルインタフェースで動作する外部機器が接続される場合に上記一対のピンが短絡または第１の抵抗を介して接続され、上記一対のピンの一方のピンは第２の抵抗を介して所定電圧にプルアップされ、上記一対のピンのうち、いずれかのピンの電圧を、所定の電圧と比較した結果に基づいて、上記コネクタ部に接続されている外部機器のデジタルインタフェースが上記第１のデジタルインタフェースであるか上記第２のデジタルインタフェースであるかを判別する
請求項１に記載の電子機器。
【請求項３２】
上記いずれかのピンの電圧は、上記第２のデジタルインタフェースで動作する外部機器が接続される場合に、上記所定電圧を上記第１の抵抗および上記第２の抵抗を含む複数の抵抗で分圧して得られる電圧である
請求項３１に記載の電子機器。